(57)【要約】【課題】ビニル等の合成樹脂製の柔軟なフィルムで作られた傘袋を、携行と使用に便利なように改良した、傘袋の収納容器を提供しようとする。【解決手段】柔軟なフィルムで作られた傘袋を偏平にして、傘袋の長さ方向を丸めて芯体に巻回し、巻回してロール状にしたものを有底円筒状の鞘体内に収容して、傘袋を容器に収納しておき、傘袋の使用時に、芯体を傘袋とともに鞘体から取り出すか又は鞘体内に入れたまま、傘袋を芯体から巻き戻して容器から取り出し使用する。【選択図】図１
2007125201.tif 000002
【特許請求の範囲】
【請求項１】
有底円筒状の鞘体と、鞘体内に収容される芯体とからなり、芯体は鞘体の開口を塞ぐ円板状の蓋と、蓋の中心から垂直に起立する芯棒とからなり、芯棒は軟質合成樹脂製の傘袋を偏平な帯状にして巻回するためのものであって、鞘体の軸心位置に軸方向に延びて収容されていることを特徴とする傘袋収納容器。
【請求項２】
鞘体が、底の内面の中心位置に芯棒の先端を丁度挿入できるだけの窪みを備えていることを特徴とする、請求項１に記載の傘袋収納容器。
【請求項３】
鞘体は、円筒に軸方向に延びるスリットを設け、スリットの大きさを巻回した傘袋を巻き戻して取り出すに足る大きさとしたことを特徴とする、請求項１又は２に記載の傘袋収納容器。
【請求項４】
芯棒に長手方向に延びる割目を設け、割目の大きさを傘袋の端を挿入して係止させるに足る大きさにしたことを特徴とする、請求項１−３の何れか１つの項に記載の傘袋収納容器。
【請求項５】
芯体の円板下面にねじ部を設けるとともに、鞘体の開口内面にこれと噛み合うねじを設けて、ねじの噛み合わせにより芯体を鞘体に係止することとし、ねじの締まる方向に芯体を回転させて、芯棒の周りに傘袋を巻回することを特徴とする、請求項３又は４に記載の傘袋収納容器。
【請求項６】
芯体外面にスリットに近接してスリットと平行に延びるクリップを付設し、スリットと芯体外面との間に傘袋の厚みに等しい隙間を設けたことを特徴とする、請求項３−５の何れか１つの項に記載の傘袋収納容器。
【請求項７】
蓋の周縁の一部に係止片を突設し、係止片を蓋に対して折曲可能とし、他方、鞘体の円筒表面の一部に凹条を設け、係止片を凹条内に係止可能としたことを特徴とする、請求項１−４の何れか１つの項に記載の傘袋収納容器。
【発明の詳細な説明】
【技術分野】
【０００１】
この発明は、傘袋収納容器に関するものである。さらに詳しく云えば、この発明は、雨で濡れた傘を入れるための傘袋を収納するための容器であって、傘袋の携行と使用に便利なようにした容器に関するものである。
【背景技術】
【０００２】
雨で濡れた傘をそのまま建物内に持ち込むと、床を濡らして滑り易くしたり、衣服を濡らしたりして、自身が不快になるだけでなく他人に迷惑を掛ける。これを防ぐために、多くの人が出入りするデパートやホテルなどの限られた場所では、出入口に傘袋を設置し、濡れた傘を傘袋に入れるようにして、傘からの水が他物に付着することのないように配慮されている。傘袋としてはポリエチレンなどの柔軟な合成樹脂製フィルムで作られた袋が多く用いられている。
【０００３】
雨の日にバスや電車に乗るときには、濡れた傘が車内を滑り易くしたり、服を濡らしたりするので傘袋の必要が痛感される。ところが、バス停や電車の駅では傘袋を設置しておくことが困難である。従って、傘袋はこれを使用する各個人が用意するのが望ましい。しかし、傘袋を携行している人は殆ど見掛けない。その原因の１つは、傘袋が使用と携行に便利なように工夫されていないからである。
【０００４】
合成樹脂製の柔軟なフィルムで作られた傘袋を携行に便利にしようとする試みは、既に知られている。例えば、実開昭５９−１７１５１５号、実開昭６２−１３９３２１号、実開平６−４１５２８号公報は、何れも傘袋をティッシュペーパーのように方形に小さく折り畳んで、これを方形の箱又は外袋に入れ、携行に便利な形にすることを提案している。しかし、ティッシュペーパーのように小さく方形に折り畳んだ傘袋は、これを広げて傘を入れるのに厄介である。とくに傘袋は折り畳まれた状態に長く保持されると、重なり合った表面同士が密着するに至るとともに折り目が強く残っているので傘を入れることが困難である。
【特許文献１】実開昭５９−１７１５１５号公報
【特許文献２】実開昭６２−１３９３２１号公報
【特許文献３】実開平６−４１５２８号公報
【０００５】
また、実用新案登録第３０５４１０５号公報は、同様に柔軟な傘袋を小さく方形に折り畳むこととしているが、傘袋の開口に孔をあけた枠体を付設して、枠体の孔から傘を挿入することを提案している。この提案によれば、傘袋の開口が枠によって開いた状態にされているので、傘の挿入し始めは容易となる。ところが、この提案では、枠体が傘袋よりも広い面積を占めるため、傘袋全体は面積的に大きく広がったものとなり、嵩張るので携行に却って不便となる。また、傘袋の折り目を延ばして傘を挿入する困難は依然として解消されない。
【特許文献４】実用新案登録第３０５４１０５号公報
【発明の開示】
【発明が解決しようとする課題】
【０００６】
上述のように傘袋を携行と使用に便利なように改良しようとする試みはあったが、何れも一長一短があった。そこで、この発明は、傘袋を携行に便利であるとともに使用に便利なように改良した傘袋収納容器を提供しようとするものである。
【課題を解決するための手段】
【０００７】
この発明者は、上述の柔軟な傘袋を適当な芯体に巻回してロール状にして携行すると、傘を挿入するとき折り目を延ばす必要がなく、従って、傘の挿入が容易となることに着目した。また、ロール状に巻回しておくと、傘袋の嵩が小さくなって携行に便利となることに気付いた。この発明は、このような知見に基づいてなされたものである。
【０００８】
この発明は、傘袋を巻回するための芯体と、芯体を収容する有底円筒状の鞘体とで、傘袋収納容器を作ることを骨子としている。芯体は偏平にされた傘袋を巻回するためのものであって、鞘体内に取り出し可能又は鞘体内で回転可能に保持されている。これが、この発明に係る傘袋収納容器の特徴とするところである。
【０００９】
この発明は、有底円筒状の鞘体と、鞘体内に収容される芯体とからなり、芯体は鞘体の開口を塞ぐ円板状の蓋と、蓋の中心から垂直に起立する芯棒とからなり、芯棒は軟質合成樹脂製の傘袋を偏平な帯状にして巻回するためのものであって、鞘体の軸心位置に軸方向に延びて収容されていることを特徴とする、傘袋収納容器を提供するものである。
【発明の効果】
【００１０】
この発明では、傘袋収納容器が有底円筒状の鞘体と、鞘体内に収容される芯体とからなり、芯体は鞘体の開口を塞ぐ円板状の蓋と蓋の中心から垂直に起立する芯棒とからなり、軟質合成樹脂製の傘袋を偏平な帯状にし芯棒に巻回して芯体を鞘体内に収容しているから、使用時には傘袋を芯体とともに鞘体から取り出し、傘袋を巻き戻して、傘袋内に傘を容易に入れることができる。この場合、傘袋には折れ目が付されていないので、傘を入れるのが容易である。また、傘袋は幅方向を芯棒と平行に向けて芯棒に巻回することができるため、鞘体の長さを傘袋の幅より僅かに長い程度の小さいものとし、鞘体の直径を小さなものとすることができるので、容器全体は嵩張らず、従って携行に便利なものとすることができる。
【００１１】
また、鞘体には底の内面の中心位置に芯棒の先端を丁度挿入できるだけの窪みを備えたものとすると、挿入した芯体を窪みによって係止させることができるので、傘袋を芯体とともに鞘体内に安定な状態に固定することができ、また芯体を回転させて傘袋を容易に取り出すことができる。
【００１２】
また、鞘体の円筒面に軸方向に延びるスリットを設け、スリットの大きさを巻回した偏平な傘袋を通過させるに足る大きさにすると、スリットを通して鞘体から傘袋を巻き戻して取り出すことができるので、芯体を鞘体から取り出す必要がなくなり、従って、傘袋の取り出しが一層容易となる。
【００１３】
さらに、芯棒に長手方向に延びる割目を設け、割目の大きさを傘袋の端を挿入して係止させるに足る大きさにすると、傘袋の端を芯棒に一時的に係止させて傘袋を芯棒に巻回することが容易となり、また逆に傘袋を芯棒から外して使用することも容易となるので、全体として傘袋の使用が一層容易となる。この発明は、このような効果をもたらすものである。
【発明を実施するための最良の形態】
【００１４】
この発明を実施の一例につき、図面に基づいて説明すると次のとおりである。図１は、この発明に係る傘袋収納容器の分解斜視図である。図２は、この発明に係る他の傘袋収納容器の分解斜視図である。図３は、この発明に係るさらに別の傘袋収納容器の斜視図である。図４は、この発明に係るさらに他の傘袋収納容器の分解斜視図である。図５は、この発明で用いることのできる傘袋の斜視図である。
【００１５】
図１は、この発明に係る傘袋収納容器Ａを示している。容器Ａにおいて、１は鞘体であり、２は芯体である。鞘体１は底１１を一端に持った円筒１２からなり、円筒１２の他端は芯体２を入れるために開口１３とされている。芯体２は、開口１３を塞ぐ円板状の蓋２１と芯棒２２とからなり、芯棒２２は蓋２１の中心から垂直に起立している。芯棒２２は傘袋３を偏平な帯状にしてロール状に巻回しており、鞘体１の中に入れられ、鞘体１の軸心位置に軸方向に延びている。このとき、蓋２１は開口１３を塞ぎ、芯棒２２の先端は底１１に付設された窪み１４内に嵌入している。
【００１６】
傘袋３は、軟質合成樹脂製フィルム、例えばポリエチレン製フィルムで作られた筒からなり、一端が開口されて傘の挿入口３１となり、他端が閉塞されて袋底３２となっている。傘袋３は、挿入口３１から袋底３２に至るまでの筒長が筒幅よりも遥かに大きいものとされている。そのため、傘袋３は筒幅方向を芯棒２２の延びる方向と一致させて、芯体２に巻回されて、嵩の小さいものとなる。
【００１７】
図１に示した傘袋収納容器Ａは芯体２を鞘体１に収容した状態で携行される。傘袋の使用時には、芯体２を鞘体１から取り出し、傘袋３を芯体２から巻き戻して芯体２から離し、挿入口３１から傘を挿入して傘を持ち運ぶ。このとき、容器Ａは芯体２を鞘体１内に入れた状態にされて、傘に付設し又は傘とは別に携行される。
【００１８】
傘袋３としては、ただ１個の傘袋を芯棒２２に巻回しておいてもよいが、また多数の傘袋を連結したものを巻回しておいてもよい。多数の傘袋を連結したものを用いるときには、各傘袋の間に切断用のミシン目３３を設けておくことが望ましい。
【００１９】
また、蓋２１に嵌込部２３を付設し、嵌込部２３の周囲面を円筒１２の内面に嵌着させるか、又は芯棒２２の先端を窪み１４の内面に嵌着させるようにすれば、芯体２を鞘体１に係止することができ、従って傘袋の飛び出すことが防がれる。こうして容器は安全に携行される。
【００２０】
図１に示した容器Ａは、円筒状のものであって、軸方向の長さは傘袋の幅よりも僅かに長い程度の小さいものであり、半径方向の長さは、容器内に収納されている傘袋の個数にもよるが、通常は傘袋の幅長よりも遥かに小さいものであるから、容器Ａの全体は嵩の小さいものである。従って、この容器Ａは携行に便利である。また、傘袋を取り出すには、芯体を鞘体から取り出し、巻き戻せば足りるから、取り出しが容易であり、取り出した傘袋には折り目が付されていないから、挿入口からの傘の挿入が容易である。
【００２１】
従って、図１の容器Ａは、携行に便利であるとともに、傘袋を取り出して使用するのに便利なものである。
【００２２】
図２に示した傘袋収納容器Ｂは、図１に示した容器Ａと同じように、鞘体１と芯体２とからなり、鞘体１は円筒１２の一端に底１１が付設され、他端が開口１３となったものであり、芯体２は蓋２１の中心に芯棒２２を垂直に起立させたものである。芯棒２２には偏平にされて帯状となった傘袋が巻回されている。
【００２３】
図２に示した容器Ｂが図１に示した容器Ａと異なるのは、円筒１２に軸方向に延びるスリット１５が穿設されている点である。スリット１５は芯棒２２に巻回された傘袋を取り出すに足る大きさとされる。スリット１５は、底１１がわの端が底１１より上方に位置しており、開口１３がわの端が開口１３と連なっていることが好ましい。また、スリット１５は軸方向に延びる両壁面１６、１７が円筒の半径方向に傾斜し、傘袋を引き出す方向に斜めに向かっていて、しかも互いに平行になっていることが好ましい。
【００２４】
容器Ｂでは傘袋３として多数の傘袋が連なっているものを用いることが好ましい。この場合には、各傘袋の間に切断用のミシン目を入れておき、ミシン目をスリットの壁面１６又は１７の尖った先に当てて、ミシン目に沿って切断できるようにすることが好ましい。切断によって容器内に残った傘袋３はその端がスリット１５から突出していることが好ましい。突出していない場合には、芯体２を僅かに鞘体１から引き出すことにより、傘袋３の端をスリットに通してスリットから突出させることができる。こうして傘袋を次の使用に便利なものとすることができる。
【００２５】
図３に示したこの発明に係る傘袋収納容器Ｃは、鞘体１と芯体２とからなる点で図２に示した容器Ｂと同じである。また、容器Ｃの鞘体１は、底１１と円筒１２とを持ち、円筒１２にスリット１５が設けられている点でも、容器Ｂと同じである。さらに、容器Ｃの芯体２は蓋２１と図示していない芯棒とを持っている点でも、容器Ｂと同じである。
【００２６】
図３の容器Ｃが図２の容器Ｂと異なるのは、蓋２１の周縁の一部に係止片２４が突設されており、これに対応して円筒１２の表面の一部に凹条１８が形成されている点である。係止片２４は、蓋２１に近接したところに薄肉部２５が形成されているため、蓋２１に対して折曲容易となっており、その先端内側には突起２６が突設されている。他方、凹条１８は係止片２４を収容できる窪みであって、その底には突起２６を嵌入させる嵌合孔１９が形成されて、係止片２４を一時的に凹条１８内に係止させることができるようになっている。
【００２７】
こうして、係止片２４を凹条内に係止させることにより、芯体２が鞘体１から脱出するのを防ぐことができる。また、係止片２４は、芯体２を回転させて傘袋を芯棒に巻回するとき、芯体２を回転させるのに使用することもできる。
【００２８】
図４に示したこの発明に係る傘袋収納容器Ｄは、鞘体１と芯体２とからなり、鞘体１は有底円筒の円筒１２にスリット１５が設けられ、芯体２は蓋２１と芯棒２２とからなるものである点では、図２に示した容器Ｂ及び図３に示した容器Ｃと同じである。図４に示した容器Ｄが容器Ｂ及びＣと異なるのは、芯体２が鞘体１にねじ止めされるという点と、鞘体１の外面にクリップ５が付設されている点とである。
【００２９】
容器Ｄでは、ねじ止めのために、芯体２がわでは円板２１の下面にねじ部２７が設けられ、鞘体１がわでは開口１３の内面にねじ２８が設けられ、ねじ部２７とねじ２８とは互いに噛み合うようにされている。この場合には、ねじが締まる方向に芯体を回転させて傘袋を芯棒の周りに巻回しておくのが好都合である。なぜならば、このようにすると傘袋をスリット１５から取り出すときに、芯体２が鞘体１内で回転するとともに、ねじ部２７とねじ２８との噛み合わせが緩むこととなるので、傘袋を自在に取り出すことができることとなるからである。また、傘袋の取り出しを終って、取り出しと反対方向に芯体２を回転させると、ねじ部２７が締まる方向に回転するので、鞘体１内で芯体２を容易に係止させることができることとなるからである。
【００３０】
容器Ｄでは、クリップ５が鞘体１の外面に付設されている。クリップ５は、スリット１５に近接したところに、スリット１５と平行に付設されて、鞘体１との間に僅かな隙間Ｈが設けられている。隙間Ｈは傘袋の厚みとほぼ同じ大きさとすることが好ましい。このようにすると、スリット１５から取り出した傘袋の端を丁度隙間Ｈで係止することができるからである。また、この係止によって傘袋の開口を容易に捉えることができ、従って次回の傘袋の使用が容易となる。
【００３１】
クリップ５の長さはスリット１５の長さより若干長くしておくことが好ましい。また、図４では見えないが、クリップ５の内側に位置する２本の稜線のうち、スリット１５と反対側にある稜線５１は、先を尖らせておいて傘袋連結体をミシン目に沿って切断し易くすることが望ましい。
【００３２】
鞘体１と芯体２とは、色々な材料で作ることができる。すなわち、鞘体１と芯体２とは、何れも木材、金属、合成樹脂で作ることができる。その中でも好ましい材料は、アクリル樹脂、ポリエチレンテレフタレート（ＰＥＴ）樹脂、ポリオレフィン樹脂のような硬質合成樹脂である。とくに図３に示したように、芯体２に係止片２４を設けて係止片を屈曲自在にするときは、ポリオレフィン樹脂の中でもポリプロピレン樹脂を用いるのが適している。また、図４に示したように、クリップ５を付設するときも、ＰＥＴ又はポリプロピレンを材料として、鞘体１と一体に成形することが望ましい。
【００３３】
図１の容器Ａと図２の容器Ｂでは、鞘体１の円筒１２の外面を正確な円筒面とすることが必要であるように描いたが、外面が正確な円筒面であることは必要でない。円筒面であることが必要なのは円筒１２の内面だけであって、外面は軸方向の中央部に近づくに従って次第に直径が大きくなる太鼓状のものであってもよく、また外面は凹凸が付されていて彫刻模様を付されていてもよい。
【００３４】
さらに、この発明の容器は、例えば図１に示したように、芯体２がわに係止具４を付設し、係止具４に紐を通して鞄、傘などに括り付けることもできる。
【００３５】
傘袋としては、ポリエチレン樹脂、ポリプロピレン樹脂、軟質塩化ビニル樹脂のフィルムを筒状に成形し、筒の一部を融着して袋としたものを用いることができる。傘袋は１個ずつ分離されていてもよいが、また図５に示したように、筒状フィルムを偏平にし、間隔をおいて融着して袋底３２とし、傘袋が多数連結された形状にし、さらに底３２の直後にミシン目３３を入れて、ミシン目から切断し易いようにしたものを用いることもできる。
【００３６】
また、傘袋３としては、図５に示したように、ミシン目３３に連なる折り目に沿った部分を斜めに切断して、切れ目３４を設けておくこともできる。このようにすると、傘袋の挿入口３１を大きく開くことができるから、傘の初めの挿入が容易となる。
【００３７】
また、この発明に係る傘袋収納容器は、図６に示すように、キャラクター形状の外被６に入れて携行することができる。外被６は、内部に丁度容器Ｂを収容するに足る空洞を備え、下端を開放し上端に孔６１を備えていて、容器Ｂを収容する際には、孔６１に紐７を通して紐７を引張ることにより、容器Ｂを引き込めるようにすることが好ましい。外被６から容器Ｂを取り出す際には、鞘体１の底部を摘んで、容器Ｂを外被６から引き出す。こうして、この発明に係る容器を好みに応じた愛らしいものとすることができる。
【図面の簡単な説明】
【００３８】
【図１】この発明に係る傘袋収納容器の分解斜視図である。
【図２】この発明に係る他の傘袋収納容器の分解斜視図である。
【図３】この発明に係るさらに別の傘袋収納容器の斜視図である。
【図４】この発明に係るさらに他の傘袋収納容器の分解斜視図である。
【図５】この発明で用いることのできる傘袋の平面図である。
【図６】この発明に係る傘袋収納容器の特殊な使用態様を示した斜視図である。
【符号の説明】
【００３９】
Ａ、Ｂ、Ｃ、Ｄ        傘袋収納容器
１                    鞘体
２                    芯体
３                    傘袋
４                    係止具
５                    クリップ
６                    外被
７                    紐
１１                  底
１２                  円筒
１３                  開口
１４                  窪み
１５                  スリット
１６、１７            スリット１５の壁面
１８                  凹条
１９                  嵌合孔
２１                  蓋
２２                  芯棒
２３                  嵌込部
２４                  係止片
２５                  薄肉部
２６                  突起
２７                  ねじ部
２８                  ねじ
３１                  挿入口
３２                  袋底
３３                  ミシン目
３４                  切れ目
６１                  孔
【図１】
2007125201.tif 000003
【図２】
2007125201.tif 000004
【図３】
2007125201.tif 000005
【図４】
2007125201.tif 000006
【図５】
2007125201.tif 000007
【図６】
2007125201.tif 000008